【手続補正書】
【提出日】平成21年9月7日(2009.9.7)
【手続補正１】
【補正対象書類名】特許請求の範囲
【補正対象項目名】全文
【補正方法】変更
【補正の内容】
【特許請求の範囲】
【請求項１】
手洗い空間内の使用者の手の有無を検知し手がある場合には自動的に吐水する自動水栓であって、
鉛直方向に延びる基部とこの基部の上端から前方に延び先端に吐水口を備えた延出部からなりそれらの内部に吐水流路が形成されているスパウト部と、
このスパウト部の基部内に取り付けられ使用者の手を検知する手検知部と、
この手検知部が使用者の手を検知したとき上記吐水口から吐水する吐水手段と、を有し、
上記手検知部は、上記スパウト部の基部の前面に取り付けられた透光板と、この透光板に対向し且つ投受光面の垂線が斜め下方に向くように配置された投光素子及び受光素子を備えた光電センサーと、上記透光板と上記光電センサーの投受光面との間に設けられ、その前面が上記透光板と当接すると共にその後面が上記光電センサーの投受光面と当接し且つ上記投光素子と受光素子からの投受光がそれぞれ通過可能な貫通孔が形成された遮光部を備えており、
上記手検出部は、更に、光電センサーを収納するホルダー部を備え、このホルダー部に収納された光電センサーの投受光面が上記遮光部の後面に当接するようにホルダー部と遮光部をアセンブリし、この後、このアセンブリされた遮光部が、その前面が上記投光板と当接するように、上記スパウト部の基部の内面に取り付けられており、
上記ホルダー部は、上記光電センサーの投受光面が上記遮光部の後面と当接するように上記光電センサーを付勢する付勢手段を備えており、
上記ホルダー部の付勢手段は、上記光電センサーの後端面を付勢する板バネを有することを特徴とする自動水栓。
【請求項２】
手洗い空間内の使用者の手の有無を検知し手がある場合には自動的に吐水する自動水栓であって、
鉛直方向に延びる基部とこの基部の上端から前方に延び先端に吐水口を備えた延出部からなりそれらの内部に吐水流路が形成されているスパウト部と、
このスパウト部の基部内に取り付けられ使用者の手を検知する手検知部と、
この手検知部が使用者の手を検知したとき上記吐水口から吐水する吐水手段と、を有し、
上記手検知部は、上記スパウト部の基部の前面に取り付けられた透光板と、この透光板に対向し且つ投受光面の垂線が斜め下方に向くように配置された投光素子及び受光素子を備えた光電センサーと、上記透光板と上記光電センサーの投受光面との間に設けられ、その前面が上記透光板と当接すると共にその後面が上記光電センサーの投受光面と当接し且つ上記投光素子と受光素子からの投受光がそれぞれ通過可能な貫通孔が形成された遮光部を備えており、
上記手検出部は、更に、上記スパウト部の基部に対して着脱可能な前面板を備え、この前面板に上記透光板及び上記ホルダー部又は遮光部がそれぞれ取り付けられており、
上記前面板は、上記スパウト部の基部の前面にパッキンを介して固定部材により固定される内蓋と、この内蓋に上記固定部材を隠すように嵌め込まれる外蓋とから構成されていることを特徴とする自動水栓。
【請求項３】
手洗い空間内の使用者の手の有無を検知し手がある場合には自動的に吐水する自動水栓であって、
鉛直方向に延びる基部とこの基部の上端から前方に延び先端に吐水口を備えた延出部からなりそれらの内部に吐水流路が形成されているスパウト部と、
このスパウト部の基部内に取り付けられ使用者の手を検知する手検知部と、
この手検知部が使用者の手を検知したとき上記吐水口から吐水する吐水手段と、を有し、
上記手検知部は、上記スパウト部の基部の前面に取り付けられた透光板と、この透光板に対向し且つ投受光面の垂線が斜め下方に向くように配置された投光素子及び受光素子を備えた光電センサーと、上記透光板と上記光電センサーの投受光面との間に設けられ、その前面が上記透光板と当接すると共にその後面が上記光電センサーの投受光面と当接し且つ上記投光素子と受光素子からの投受光がそれぞれ通過可能な貫通孔が形成された遮光部を備えており、
上記手検出部は、更に、上記スパウト部の基部に対して着脱可能な前面板を備え、この前面板に上記透光板及び上記ホルダー部又は遮光部がそれぞれ取り付けられており、
上記自動水栓は、更に、上記光電センサーに信号線を介して接続された吐水を制御するコントロールユニットと、上記前面板に固定され上記信号線を上記光電センサーの近傍で保持するコードクランプ手段とを備えている事を特徴とする自動水栓。
【請求項４】
手洗い空間内の使用者の手の有無を検知し手がある場合には自動的に吐水する自動水栓であって、
鉛直方向に延びる基部とこの基部の上端から前方に延び先端に吐水口を備えた延出部からなりそれらの内部に吐水流路が形成されているスパウト部と、
このスパウト部の基部内に取り付けられ使用者の手を検知する手検知部と、
この手検知部が使用者の手を検知したとき上記吐水口から吐水する吐水手段と、を有し、
上記手検知部は、上記スパウト部の基部の前面に取り付けられた透光板と、この透光板に対向し且つ投受光面の垂線が斜め下方に向くように配置された投光素子及び受光素子を備えた光電センサーと、上記透光板と上記光電センサーの投受光面との間に設けられ、その前面が上記透光板と当接すると共にその後面が上記光電センサーの投受光面と当接し且つ上記投光素子と受光素子からの投受光がそれぞれ通過可能な貫通孔が形成された遮光部を備えており、
上記手検出部は、更に、上記光電センサーの投受光面が上記遮光部の後面に当接した状態で光電センサー及び遮光部を収納するホルダー部を備え、このホルダー部が上記スパウト部の基部の内面に取り付けられており、
上記遮光部とホルダー部は一体的に形成されており、
上記手検出部は、更に、上記スパウト部の基部に対して着脱可能な前面板を備え、この前面板に上記透光板及び上記ホルダー部又は遮光部がそれぞれ取り付けられており、
上記前面板は、上記スパウト部の基部の前面にパッキンを介して固定部材により固定される内蓋と、この内蓋に上記固定部材を隠すように嵌め込まれる外蓋とから構成されていることを特徴とする自動水栓。
【請求項５】
上記手検出部は、更に、上記スパウト部の基部に対して着脱可能な前面板を備え、この前面板に上記透光板及び上記ホルダー部又は遮光部がそれぞれ取り付けられている請求項１記載の自動水栓。
【請求項６】
上記前面板は、上記スパウト部の基部の前面にパッキンを介して固定部材により固定される内蓋と、この内蓋に上記固定部材を隠すように嵌め込まれる外蓋とから構成されている請求項５記載の自動水栓。
【請求項７】
上記自動水栓は、更に、上記光電センサーに信号線を介して接続された吐水を制御するコントロールユニットと、上記前面板に固定され上記信号線を上記光電センサーの近傍で保持するコードクランプ手段とを備えている請求項５記載の自動水栓。
【請求項８】
上記スパウト部の吐水流路は、スパウト部の内面により形成され、上記手検出部は、上記スパウト部の基部内の吐水流路とは別の空間内に配置されている請求項１乃至７の何れか１項記載の自動水栓。
【請求項９】
上記スパウト部の延出部は、水平方向に延び且つ上記吐水流路が幅広の扁平流路に形成されている請求項１乃至８の何れか１項記載の自動水栓。
【手続補正２】
【補正対象書類名】明細書
【補正対象項目名】０００７
【補正方法】変更
【補正の内容】
【０００７】
上記の目的を達成するために、本発明は、手洗い空間内の使用者の手の有無を検知し手がある場合には自動的に吐水する自動水栓であって、鉛直方向に延びる基部とこの基部の上端から前方に延び先端に吐水口を備えた延出部からなりそれらの内部に吐水流路が形成されているスパウト部と、このスパウト部の基部内に取り付けられ使用者の手を検知する手検知部と、この手検知部が使用者の手を検知したとき吐水口から吐水する吐水手段と、を有し、手検知部は、スパウト部の基部の前面に取り付けられた透光板と、この透光板に対向し且つ投受光面の垂線が斜め下方に向くように配置された投光素子及び受光素子を備えた光電センサーと、透光板と光電センサーの投受光面との間に設けられ、その前面が透光板と当接すると共にその後面が光電センサーの投受光面と当接し且つ投光素子と受光素子からの投受光がそれぞれ通過可能な貫通孔が形成された遮光部を備えており、
手検出部は、更に、光電センサーを収納するホルダー部を備え、このホルダー部に収納された光電センサーの投受光面が遮光部の後面に当接するようにホルダー部と遮光部をアセンブリし、この後、このアセンブリされた遮光部がその前面が投光板と当接するようにスパウト部の基部の内面に取り付けられており、
ホルダー部は、光電センサーの投受光面が遮光部の後面と当接するように光電センサーを付勢する付勢手段を備えており、
ホルダー部の付勢手段は、光電センサーの後端面を付勢する板バネを有することを特徴としている。
このように構成された本発明においては、光電センサーの投光素子及び受光素子の投受光面の垂線が斜め下方に向くように配置されていても、透光板と光電センサーの投受光面との間に、その前面が透光板と当接すると共にその後面が光電センサーの投受光面と当接し且つ投光素子と受光素子からの投受光がそれぞれ通過可能な貫通孔が形成された遮光部を設けたので、光電センサーの投受光面と透光板との間の空間において投光と受光を遮断することができ、それにより、投光素子からの光線が透光板により受光素子側に反射して誤感知することを防止することができる。その結果、スパウト部の基部を鉛直に形成することができ、手洗いの空間を広く取ることができる。さらに、スパウト部の基部に手検出部を配置するようにしたため、組立て作業が簡単となる。また、ホルダー部と遮光部をアセンブリし、この後、このアセンブリされた遮光部がその前面が投光板と当接するようにスパウト部の基部の内面に取り付けられるので、遮光部の貫通孔を投光板に対し正確に位置決めすることができる。また、付勢手段により、光電センサーが、光電センサーの投受光面が遮光部の後面と当接するように付勢されるので、光電センサーの投受光面と遮光部の後面の間に隙間が発生することを防止でき、その結果、その隙間で生じるよごれや水滴による悪影響が解消されるので、光電センサーによる検知精度を向上させることができる。また、板バネにより、光電センサーの後端面を付勢しているので、光電センサーの投受光面と遮光部の後面の間に隙間が発生することをより効果的に防止することができる。
【手続補正３】
【補正対象書類名】明細書
【補正対象項目名】０００８
【補正方法】変更
【補正の内容】
【０００８】
本発明において、好ましくは、手検出部は、更に、スパウト部の基部に対して着脱可能な前面板を備え、この前面板に透光板及びホルダー部又は遮光部がそれぞれ取り付けられている。
このように構成された本発明においては、手検知部が一体的にスパウト部の基部に着脱可能となり、組立て作業が簡単になると共にメンテナンスも行ない易くなる。
【手続補正４】
【補正対象書類名】明細書
【補正対象項目名】０００９
【補正方法】変更
【補正の内容】
【０００９】
本発明において、好ましくは、前面板は、スパウト部の基部の前面にパッキンを介して固定部材により固定される内蓋と、この内蓋に固定部材を隠すように嵌め込まれる外蓋とから構成されている。
このように構成された本発明においては、前面板を内蓋と外蓋から構成し、内蓋をスパウト部の基部の前面にパッキンを介して固定部材により固定するようにしているので、外部からスパウト部内への水（水滴）の浸入を防止することができ、さらに、外蓋が固定部材を隠すように内蓋に嵌め込まれているので、見栄えが向上する。
【手続補正５】
【補正対象書類名】明細書
【補正対象項目名】００１０
【補正方法】変更
【補正の内容】
【００１０】
本発明において、好ましくは、自動水栓は、更に、光電センサーに信号線を介して接続された吐水を制御するコントロールユニットと、前面板に固定され信号線を光電センサーの近傍で保持するコードクランプ手段とを備えている。
このように構成された本発明においては、光電センサーをコントロールユニットに接続する信号線がコードクランプ手段により前面板に固定されているので、スパウト部の基部内に手検知部を取り付ける際に、作業者により信号線が引っ張られても、コードクランプ手段により光電センサーには力が作用しないので、光電センサーと遮光板との間に隙間が発生する等の不具合の発生を防止することができる。
【手続補正６】
【補正対象書類名】明細書
【補正対象項目名】００１１
【補正方法】変更
【補正の内容】
【００１１】
上記の目的を達成するために、本発明は、手洗い空間内の使用者の手の有無を検知し手がある場合には自動的に吐水する自動水栓であって、鉛直方向に延びる基部とこの基部の上端から前方に延び先端に吐水口を備えた延出部からなりそれらの内部に吐水流路が形成されているスパウト部と、このスパウト部の基部内に取り付けられ使用者の手を検知する手検知部と、この手検知部が使用者の手を検知したとき吐水口から吐水する吐水手段と、を有し、手検知部は、スパウト部の基部の前面に取り付けられた透光板と、この透光板に対向し且つ投受光面の垂線が斜め下方に向くように配置された投光素子及び受光素子を備えた光電センサーと、透光板と光電センサーの投受光面との間に設けられ、その前面が透光板と当接すると共にその後面が光電センサーの投受光面と当接し且つ投光素子と受光素子からの投受光がそれぞれ通過可能な貫通孔が形成された遮光部を備えており、
手検出部は、更に、スパウト部の基部に対して着脱可能な前面板を備え、この前面板に透光板及びホルダー部又は遮光部がそれぞれ取り付けられており、
前面板は、スパウト部の基部の前面にパッキンを介して固定部材により固定される内蓋と、この内蓋に固定部材を隠すように嵌め込まれる外蓋とから構成されていることを特徴としている。
このように構成された本発明においては、光電センサーの投光素子及び受光素子の投受光面の垂線が斜め下方に向くように配置されていても、透光板と光電センサーの投受光面との間に、その前面が透光板と当接すると共にその後面が光電センサーの投受光面と当接し且つ投光素子と受光素子からの投受光がそれぞれ通過可能な貫通孔が形成された遮光部を設けたので、光電センサーの投受光面と透光板との間の空間において投光と受光を遮断することができ、それにより、投光素子からの光線が透光板により受光素子側に反射して誤感知することを防止することができる。その結果、スパウト部の基部を鉛直に形成することができ、手洗いの空間を広く取ることができる。さらに、スパウト部の基部に手検出部を配置するようにしたため、組立て作業が簡単となる。また、手検知部が一体的にスパウト部の基部に着脱可能となり、組立て作業が簡単になると共にメンテナンスも行ない易くなる。また、前面板を内蓋と外蓋から構成し、内蓋をスパウト部の基部の前面にパッキンを介して固定部材により固定するようにしているので、外部からスパウト部内への水（水滴）の浸入を防止することができ、さらに、外蓋が固定部材を隠すように内蓋に嵌め込まれているので、見栄えが向上する。
【手続補正７】
【補正対象書類名】明細書
【補正対象項目名】００１２
【補正方法】変更
【補正の内容】
【００１２】
上記の目的を達成するために、本発明は、手洗い空間内の使用者の手の有無を検知し手がある場合には自動的に吐水する自動水栓であって、鉛直方向に延びる基部とこの基部の上端から前方に延び先端に吐水口を備えた延出部からなりそれらの内部に吐水流路が形成されているスパウト部と、このスパウト部の基部内に取り付けられ使用者の手を検知する手検知部と、この手検知部が使用者の手を検知したとき吐水口から吐水する吐水手段と、を有し、手検知部は、スパウト部の基部の前面に取り付けられた透光板と、この透光板に対向し且つ投受光面の垂線が斜め下方に向くように配置された投光素子及び受光素子を備えた光電センサーと、透光板と光電センサーの投受光面との間に設けられ、その前面が透光板と当接すると共にその後面が光電センサーの投受光面と当接し且つ投光素子と受光素子からの投受光がそれぞれ通過可能な貫通孔が形成された遮光部を備えており、
手検出部は、更に、スパウト部の基部に対して着脱可能な前面板を備え、この前面板に透光板及びホルダー部又は遮光部がそれぞれ取り付けられており、自動水栓は、更に、光電センサーに信号線を介して接続された吐水を制御するコントロールユニットと、前面板に固定され信号線を光電センサーの近傍で保持するコードクランプ手段とを備えていることを特徴としている。
このように構成された本発明においては、光電センサーの投光素子及び受光素子の投受光面の垂線が斜め下方に向くように配置されていても、透光板と光電センサーの投受光面との間に、その前面が透光板と当接すると共にその後面が光電センサーの投受光面と当接し且つ投光素子と受光素子からの投受光がそれぞれ通過可能な貫通孔が形成された遮光部を設けたので、光電センサーの投受光面と透光板との間の空間において投光と受光を遮断することができ、それにより、投光素子からの光線が透光板により受光素子側に反射して誤感知することを防止することができる。その結果、スパウト部の基部を鉛直に形成することができ、手洗いの空間を広く取ることができる。さらに、スパウト部の基部に手検出部を配置するようにしたため、組立て作業が簡単となる。また、手検知部が一体的にスパウト部の基部に着脱可能となり、組立て作業が簡単になると共にメンテナンスも行ない易くなる。また、光電センサーをコントロールユニットに接続する信号線がコードクランプ手段により前面板に固定されているので、スパウト部の基部内に手検知部を取り付ける際に、作業者により信号線が引っ張られても、コードクランプ手段により光電センサーには力が作用しないので、光電センサーと遮光板との間に隙間が発生する等の不具合の発生を防止することができる。
【手続補正８】
【補正対象書類名】明細書
【補正対象項目名】００１３
【補正方法】変更
【補正の内容】
【００１３】
上記の目的を達成するために、本発明は、手洗い空間内の使用者の手の有無を検知し手がある場合には自動的に吐水する自動水栓であって、鉛直方向に延びる基部とこの基部の上端から前方に延び先端に吐水口を備えた延出部からなりそれらの内部に吐水流路が形成されているスパウト部と、このスパウト部の基部内に取り付けられ使用者の手を検知する手検知部と、この手検知部が使用者の手を検知したとき吐水口から吐水する吐水手段と、を有し、手検知部は、スパウト部の基部の前面に取り付けられた透光板と、この透光板に対向し且つ投受光面の垂線が斜め下方に向くように配置された投光素子及び受光素子を備えた光電センサーと、透光板と光電センサーの投受光面との間に設けられ、その前面が透光板と当接すると共にその後面が光電センサーの投受光面と当接し且つ投光素子と受光素子からの投受光がそれぞれ通過可能な貫通孔が形成された遮光部を備えており、手検出部は、更に、光電センサーの投受光面が遮光部の後面に当接した状態で光電センサー及び遮光部を収納するホルダー部を備え、このホルダー部がスパウト部の基部の内面に取り付けられており、遮光部とホルダー部は一体的に形成されており、手検出部は、更に、スパウト部の基部に対して着脱可能な前面板を備え、この前面板に透光板及びホルダー部又は遮光部がそれぞれ取り付けられており、
前面板は、スパウト部の基部の前面にパッキンを介して固定部材により固定される内蓋と、この内蓋に固定部材を隠すように嵌め込まれる外蓋とから構成されていることを特徴としている。
このように構成された本発明においては、光電センサーの投光素子及び受光素子の投受光面の垂線が斜め下方に向くように配置されていても、透光板と光電センサーの投受光面との間に、その前面が透光板と当接すると共にその後面が光電センサーの投受光面と当接し且つ投光素子と受光素子からの投受光がそれぞれ通過可能な貫通孔が形成された遮光部を設けたので、光電センサーの投受光面と透光板との間の空間において投光と受光を遮断することができ、それにより、投光素子からの光線が透光板により受光素子側に反射して誤感知することを防止することができる。その結果、スパウト部の基部を鉛直に形成することができ、手洗いの空間を広く取ることができる。さらに、スパウト部の基部に手検出部を配置するようにしたため、組立て作業が簡単となる。また、ホルダー部により、遮光部が光電センサーに対して位置決めされるので、光電センサーの投光素子と受光素子をそれぞれの貫通孔に対し正確に位置決めすることができる。また、光部とホルダー部は一体的に単一の部材で形成されているので、その分、組立て作業が簡単になる。また、遮光部を光電センサーに対してより正確に位置決めすることができるので、光電センサーの投光素子と受光素子をそれぞれの貫通孔に対し正確に位置決めすることができる。また、手検知部が一体的にスパウト部の基部に着脱可能となり、組立て作業が簡単になると共にメンテナンスも行ない易くなる。また、光電センサーをコントロールユニットに接続する信号線がコードクランプ手段により前面板に固定されているので、スパウト部の基部内に手検知部を取り付ける際に、作業者により信号線が引っ張られても、コードクランプ手段により光電センサーには力が作用しないので、光電センサーと遮光板との間に隙間が発生する等の不具合の発生を防止することができる。
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】